(57)【要約】【課題】電源素子の形状や端子の位置にかかわらず、容易に行える作業で電源素子を保持させることができる電源素子保持器具を提供する。【解決手段】保持器具１のベース板１０には、電池パック８００の前面８０２に対向する前方固定板２１と、電池パック８００の両側面８０３，８０４にそれぞれ対向するパッド３１，４１を支持する側方固定板３５，４５と、電池パック８００の背面８０５に対向するパッド５１を支持する背方固定板５２とが固定されている。パッド４１は、パッド３１に対して遠近する方向に変位可能であり、パッド５１は、前方固定板２１に対して遠近する方向に変位可能である。ユーザは、電池パック８００を前方固定板２１とパッド５１との間に挟み、パッド３１とパッド４１との間に挟むことにより、容易な作業で、電池パック８００を保持器具１により保持させることができる。【選択図】図１
2012252848.tif 000002
【特許請求の範囲】
【請求項１】
電源素子の前面に対向する壁部を有する固定部と、
前記固定部にそれぞれ支持されており、前記電源素子の両側部にそれぞれ対向する２つの側部支持部材と、
前記固定部に支持されており、前記電源素子の背部に対向する背部支持部材とを備え、
前記２つの側部支持部材のうち、少なくとも一方は、他方の側部支持部材に対して遠近する方向に、前記固定部に対して変位可能に設けられており、
前記背部支持部材は、前記壁部に対して遠近する方向に、前記固定部に対して変位可能に設けられている、電源素子保持器具。
【請求項２】
前記背部支持部材は、弾性部材により前記壁部に向けて付勢されている、請求項１に記載の電源素子保持器具。
【請求項３】
前記固定部に支持されており、前記電源素子の底部を支持する底部支持部材と、
前記底部支持部材の前記固定部に対する昇降方向の位置を調節する調節部材とをさらに備える、請求項１又は２に記載の電源素子保持器具。
【請求項４】
前記２つの側部支持部材のうち、少なくとも一方は、弾性部材により他方の側部支持部材に向けて付勢されている、請求項１から３のいずれかに記載の電源素子保持器具。
【請求項５】
前記２つの側部支持部材のうち、一方は、他方の側部支持部材に対して遠近する方向の前記固定部に対する位置が調節できるように設けられている、請求項１から４のいずれかに記載の電源素子保持器具。
【請求項６】
前記壁部には、前記電源素子の前面に設けられた端子に接触する電極が配置されている、請求項１から５のいずれかに記載の電源素子保持器具。
【請求項７】
前記背部支持部材には、前記電源素子の背部側に設けられた端子に接触する電極が配置されている、請求項１から６のいずれかに記載の電源素子保持器具。
【請求項８】
前記固定部は、
ベース部材と、
前記ベース部材上に配置され、一部が前記壁部を構成する第１の固定支持部と、
前記ベース部材上に配置され、少なくとも前記背部支持部材を支持する第２の固定支持部とを有する、請求項１から７のいずれかに記載の電源素子保持器具。
【請求項９】
トレイ本体と、
前記トレイ本体上に配置された、複数の請求項１から８のいずれかに記載の電源素子保持器具とを備える、電源素子保持トレイ。
【請求項１０】
トレイ本体と、
前記トレイ本体上に着脱可能に配置された、複数の請求項８に記載の電源素子保持器具とを備え、
前記トレイ本体には、被係合部が形成されており、
前記複数の電源素子保持器具のそれぞれのベース部材には、前記被係合部に係合する係合部が設けられており、
前記係合部が前記被係合部に係合することで、前記電源素子保持器具のそれぞれが前記トレイ本体上に配置されている、電源素子保持トレイ。
【請求項１１】
庫内部に設けられた請求項９又は１０に記載の電源素子保持トレイと、
庫内部の温度を調節する温度調節装置とを備える、電源素子試験装置。
【発明の詳細な説明】
【技術分野】
【０００１】
この発明は、電源素子保持器具、電源素子保持トレイ、及び電源素子試験装置に関し、特に、形状や端子の位置などが異なる様々な電源素子を保持可能な電源素子保持器具、電源素子保持トレイ、及び電源素子試験装置に関する。
【背景技術】
【０００２】
電池や電源として用いられるキャパシタなどの電源素子としては、規格化された形状を有するもの（例えば、乾電池など）もあれば、使用される機器の形状などに応じてパッケージ化されたもの（例えば、携帯電話機に用いられるような電池パックなど）もある。近年では、様々な機器で広く電源素子が用いられており、形状や端子の位置などが異なる、様々な電源素子が存在している。
【０００３】
ところで、このような電源素子について、性能や状態に関する試験又は検査などを行うためには、電源素子が移動しないように電源素子を器具に保持させた状態で、電源素子の端子を試験機器側の電極などに接続する必要がある。しかしながら、上記のように電源素子の外径や端子の位置は様々であるため、電源素子を保持するための器具を個々の電源素子のそれぞれにあわせて用意するのは、困難である。
【０００４】
下記特許文献１には、電池の形状や端子の配置位置などが異なっても、電池の端子と電極とを当接させることができるように、２つの部材間で電池を挟持する電池固定装置が開示されている。
【先行技術文献】
【特許文献】
【０００５】
【特許文献１】特開２００２−２５２０３９号公報
【発明の概要】
【発明が解決しようとする課題】
【０００６】
しかしながら、上記の特許文献１に記載されている電池固定装置では、上記問題を十分に解決できない場合がある。すなわち、電極が端子に接触するような適切な位置で電池を挟持させるためには、電池の位置決めなどに複雑な作業が必要となり、保持させる電池を変更する際に時間がかかる場合もある。また、特に、平型で側面に端子を有する電池を保持させる場合、特許文献１に記載されている電源固定装置では、電池の厚みによっては、弾性部材間に挟持させることが不可能であったり、挟持させることが極めて困難であったりする。
【０００７】
この発明はそのような問題点を解決するためになされたものであり、電源素子の形状や端子の位置にかかわらず、容易に行える作業で電源素子を保持させることができる電源素子保持器具、電源素子保持トレイ、及び電源素子試験装置を提供することを目的としている。
【課題を解決するための手段】
【０００８】
上記目的を達成するためこの発明のある局面に従うと、電源素子保持器具は、電源素子の前面に対向する壁部を有する固定部と、固定部にそれぞれ支持されており、電源素子の両側部にそれぞれ対向する２つの側部支持部材と、固定部に支持されており、電源素子の背部に対向する背部支持部材とを備え、２つの側部支持部材のうち、少なくとも一方は、他方の側部支持部材に対して遠近する方向に、固定部に対して変位可能に設けられており、背部支持部材は、壁部に対して遠近する方向に、固定部に対して変位可能に設けられている。
【０００９】
好ましくは背部支持部材は、弾性部材により壁部に向けて付勢されている。
【００１０】
好ましくは電源素子保持器具は、固定部に支持されており、電源素子の底部を支持する底部支持部材と、底部支持部材の固定部に対する昇降方向の位置を調節する調節部材とをさらに備える。
【００１１】
好ましくは２つの側部支持部材のうち、少なくとも一方は、弾性部材により他方の側部支持部材に向けて付勢されている。
【００１２】
好ましくは２つの側部支持部材のうち、一方は、他方の側部支持部材に対して遠近する方向の固定部に対する位置が調節できるように設けられている。
【００１３】
好ましくは壁部には、電源素子の前面に設けられた端子に接触する電極が配置されている。
【００１４】
好ましくは背部支持部材には、電源素子の背部側に設けられた端子に接触する電極が配置されている。
【００１５】
好ましくは固定部は、ベース部材と、ベース部材上に配置され、一部が壁部を構成する第１の固定支持部と、ベース部材上に配置され、少なくとも背部支持部材を支持する第２の固定支持部とを有する。
【００１６】
この発明の他の局面に従うと、電源素子保持トレイは、トレイ本体と、トレイ本体上に配置された、複数の上述のいずれかに記載の電源素子保持器具とを備える。
【００１７】
この発明のさらに他の局面に従うと、電源素子保持トレイは、トレイ本体と、トレイ本体上に着脱可能に配置された、複数の上述に記載の電源素子保持器具とを備え、トレイ本体には、被係合部が形成されており、複数の電源素子保持器具のそれぞれのベース部材には、被係合部に係合する係合部が設けられており、係合部が被係合部に係合することで、電源素子保持器具のそれぞれがトレイ本体上に配置されている。
【００１８】
この発明のさらに他の局面に従うと、電源素子試験装置は、庫内部に設けられた上述に記載の電源素子保持トレイと、庫内部の温度を調節する温度調節装置とを備える。
【発明の効果】
【００１９】
これらの発明に従うと、固定部の壁部と、固定部に対して変位可能な側部支持部材及び背部支持部材とで電源素子を保持することができる。したがって、電源素子の形状や端子の位置にかかわらず、容易に行える作業で電源素子を保持させることができる電源素子保持器具、電源素子保持トレイ、及び電源素子試験装置を提供することができる。
【図面の簡単な説明】
【００２０】
【図１】本発明の実施の形態の１つにおける電源素子保持器具を示す斜視図である。
【図２】保持器具の分解斜視図である。
【図３】保持器具の平面図である。
【図４】保持器具の側面図である。
【図５】保持器具の正面図である。
【図６】保持器具の背面図である。
【図７】保持器具の底面図である。
【図８】電池パックがセットされている状態の保持器具を示す斜視図である。
【図９】電池パックがセットされている状態の保持器具の平面図である。
【図１０】電池パックがセットされている状態の保持器具の側面図である。
【図１１】保持器具のパッドを示す正面図である。
【図１２】本実施の形態に係る電源素子保持トレイの一例を示す斜視図である。
【図１３】トレイ本体の一例を示す平面図である。
【図１４】各保持器具に電池パックが保持されている状態の保持トレイを示す斜視図である。
【図１５】本実施の形態に係る恒温器の一例を示す斜視図である。
【図１６】本実施の形態の電源素子保持器具の一変型例について説明する図である。
【発明を実施するための形態】
【００２１】
以下、本発明の実施の形態における電源素子保持器具について説明する。
【００２２】
［実施の形態］
【００２３】
図１は、本発明の実施の形態の１つにおける電源素子保持器具を示す斜視図である。
【００２４】
電源素子保持器具１（以下、保持器具１ということがある）は、電池パック（電源素子の一例）８００を保持する治具として用いられる。保持器具１に電池パック８００を保持させることで、電池パック８００についての充放電試験など、種々の試験が行える。
【００２５】
［電池パック８００の説明］
【００２６】
保持器具１の説明を行う前に、電池パック８００について説明する。
【００２７】
図１に示されるように、電池パック（電源素子の一例）８００は、例えば、厚み方向の寸法が、奥行き方向や幅方向の寸法と比較して小さめである平型の略直方体形状を有する。電池パック８００は、例えばリチウムイオンポリマー二次電池である。電池パック８００の表面について、前面、背面、側面、上面などの別は任意に決めることができるが、便宜上、以下の説明では、図１に示されるように、前面８０２、左側面８０３、右側面８０４、背面８０５、及び底面８０６などと呼ぶ。
【００２８】
電池パック８００の前面８０２には、端子８１０が設けられている。電池パック８００には電荷が蓄電されており、端子８１０を通じて放電が行われる。
【００２９】
保持器具１が対応可能な電池パック８００の電池の種類や形状は、上記のものに限られない。例えば、保持器具１は、リチウムイオン二次電池、ニッケル水素二次電池、種々の一次電池など、種々のタイプの電池を用いた電池パックを保持可能である。また、保持器具１は、円柱形や半円柱形の電池パックや、種々の乾電池（電源素子の一例）などを保持可能である。
【００３０】
［保持器具１の説明］
【００３１】
図２は、保持器具１の分解斜視図である。図３は、保持器具１の平面図である。図４は、保持器具１の側面図である。図５は、保持器具１の正面図である。図６は、保持器具１の背面図である。図７は、保持器具１の底面図である。
【００３２】
図１〜図７を参照しながら、保持器具１の構成について次に説明する。なお、各図において、ねじの図示は省略している。
【００３３】
図１を参照して、保持器具１は、大まかに、ベース板（ベース部材の一例）１０と、ベース板１０上に固定された固定支持部２０と、左支持部３０と、右支持部４０と、背部支持部５０と、底部支持部６０（図２に示す。）とを有している。本実施の形態では、大まかに、ベース板１０と固定支持部２０とが、他の部材を支持する固定部として機能する。保持器具１は、電池パック８００の前面８０２、左側面８０３、右側面８０４、背面８０５、及び底面８０６をそれぞれ支持することで、電池パック８００を保持することができる。以下の説明において、図１に示されるＸ軸方向手前側を保持器具１の前方と、Ｘ軸方向奥側を保持器具１の後方と、Ｙ軸方向手前側を左側方と、Ｙ軸方向奥側を右側方と、Ｚ軸方向上方を上方と、Ｚ軸方向下方を下方と、それぞれいうことがある。
【００３４】
ベース板１０は、平面視で略長方形形状を有するように形成されている。図２に示すように、ベース板１０には、ベース板１０の底面から下方に突出する係合爪（係合部の一例）１１が設けられている。ベース板１０のうち、後述のように電池パック８００が配置される部位の下方には、ねじ穴１５が設けられている。図７に示されるように、係合爪１１は、左右両側部の前端部及び後端部に設けられている。すなわち、係合爪１１は、４箇所に設けられている。
【００３５】
ベース板１０は、例えばアルミニウム板を用いて形成されている。４つの係合爪１１は、アルミニウム板を下方に折り曲げることで形成されている。
【００３６】
固定支持部２０は、おおまかに、電池パック８００が保持器具１に保持されている状態で、電池パック８００の前方と両側方とに位置する第１の固定支持部２０ａと、電池パック８００の背方を支持する第２の固定支持部２０ｂとに分けられる。
【００３７】
図２に示されるように、第１の固定支持部２０ａは、前方固定板（壁部の一例）２１と、側方固定板３５，４５とが組み付けられて構成されている。前方固定板２１は、電池パック８００の前方に位置するように、ベース板１０上に固定されている。側方固定板３５，４５は、前方固定板２１の左右の側部にそれぞれの前面が接触するように、ベース板１０上に固定されている。前方固定板２１及び側方固定板３５，４５と、ベース板１０とは、ベース板１０の下方からベース板１０を介して前方固定板２１及び側方固定板３５，４５のそれぞれにねじ込まれるねじ１９により、結合されている。前方固定板２１と、側方固定板３５，４５のそれぞれとは、前方固定板２１を介して側方固定板３５，４５にねじ込まれるねじ２９により、結合されている。すなわち、図３に示されるように、第１の固定支持部２０ａは、上面視で電池パック８００の前方及び両側方の３方を囲むようなＣ型チャンネル形状（Ｕ字形状）をなすように、ベース板１０上に立設されている。
【００３８】
図２に示されるように、本実施の形態では、第２の固定支持部２０ｂとして、背方固定板５２が設けられている。背方固定板５２は、ベース板１０の背方の端部近傍部位に位置するように、ベース板１０上に固定されている。背方固定板５２は、電池パック８００の背方に位置している。背方固定板５２とベース板１０とは、ベース板１０の下方からベース板１０を介して背方固定板５２にねじ込まれるねじ１９により、結合されている。
【００３９】
左支持部３０は、パッド（側部支持部材の一例）３１と、シャフト３３と、ばね（弾性部材の一例）３４と、ノブ３７とを有している。
【００４０】
パッド３１は、その１つの面に形成されたパッド面３１ａが電池パック８００の左側面８０３に対向するようにして配置されている。すなわち、パッド３１は、パッド面３１ａが、保持器具１の使用時に電池パック８００に当たるように、右支持部４０に向いた状態で配置されている。パッド面３１ａは、電池パック８００に向けて凹凸がある形状を有している。また、本実施の形態において、パッド面３１ａの上部には、上端部に近づくに従ってパッド３１と右支持部４０のパッド４１との間隔が広くなるように形成されたテーパ部３１ｚが設けられている。
【００４１】
シャフト３３は、パッド面３１ａ側からパッド３１に設けられた孔部３１ｂに差し込まれ、パッド３１を貫通し、側方固定板３５に設けられたねじ穴３５ｂにねじ込まれている。これにより、パッド３１は、シャフト３３を介して、側方固定板３５に支持されている。
【００４２】
ノブ３７は、側方固定板３５から側方に突出したシャフト３３の一端部に取り付けられている。ノブ３７の周囲には、ローレット加工が施されている。これにより、ユーザが容易にノブ３７を摘み、回転操作を行うことができる。
【００４３】
シャフト３３の他端部には、パッド３１の孔部３１ｂの内径よりも径方向の寸法が大きいつば部３３ａが形成されている。
【００４４】
ばね３４は、コイルばねである。ばね３４は、シャフト３３と略同軸に、すなわちシャフト３３がばね３４の内部を貫通するように、配置されている。
【００４５】
ばね３４は、パッド３１の左側面（パッド面３１ａとは反対側の面）と側方固定板３５の右側面との間で圧縮された状態で、配置されている。したがって、パッド３１は、ばね３４により、側方固定板３５及びベース板１０に対して右方向（図２においてＹ方向）に付勢されている。パッド３１は、シャフト３３のつば部３３ａに接触することでシャフト３３に対してとりうる位置が規制された状態で、保持されている。
【００４６】
なお、ばね３４により付勢された状態であっても、パッド３１は、ばね３４を圧縮してシャフト３３の軸方向（左方向）に変位可能である。また、ばね３４によりパッド３１が付勢された状態では、つば部３３ａはパッド３１の内部に入り込んでおり、パッド面３１ａからつば部３３ａは突出しない。
【００４７】
ここで、ノブ３７が回転操作されるなどしてシャフト３３が側方固定板３５に対して回転することで、シャフト３３の、側方固定板３５からの右方向への突出量は変更可能である。このとき、ばね３４の付勢力により、パッド３１のシャフト３３に対する位置は保たれる。したがって、シャフト３３が回転すると、パッド３１の側方固定板３５に対する位置が変更する。すなわち、パッド３１は、後述する右支持部４０のパッド４１に対して遠近する方向（図２においてＹ方向）の、側方固定板３５に対する位置が調節できるように設けられている。
【００４８】
右支持部４０は、パッド（側部支持部材の一例）４１と、２本のシャフト４３ａ，４３ｂと、２つのばね（弾性部材の一例）４４ａ，４４ｂと、２つの固定ねじ４６ａ，４６ｂと、２つのストッパ部材４７ａ，４７ｂとを有している。
【００４９】
パッド４１は、その１つの面に形成されたパッド面４１ａが電池パック８００の右側面８０４に対向するようにして配置されている。すなわち、パッド４１は、パッド面４１ａが保持器具１の使用時に電池パック８００に当たるように、左支持部３０に向いた状態で配置されている。パッド４１は、パッド３１に対向するようにして配置される。また、本実施の形態において、パッド面４１ａの上部には、上端部に近づくに従ってパッド３１，４１間の間隔が広くなるように形成されたテーパ部４１ｚが設けられている。パッド４１は、シャフト４３ａ，４３ｂが取り付けられる部分を除き、パッド３１と略対称の形状を有している。
【００５０】
シャフト４３ａは、パッド４１の上方に取り付けられている。シャフト４３ｂは、パッド４１の下方であってシャフト４３ａの下方に取り付けられている。各シャフト４３ａ，４３ｂには、パッド面４１ａ側からパッド４１を貫通するようにして、固定ねじ４６ａ，４６ｂがねじ込まれている。これにより、シャフト４３ａ，４３ｂはパッド４１に固定されている。
【００５１】
シャフト４３ａ，４３ｂは、側方固定板４５に設けられた２つの孔部４５ａのそれぞれに差し込まれ、側方固定板４５を貫通している。シャフト４３ａ，４３ｂは、側方固定板４５に対して、その軸方向（図２においてＹ方向）にスライド可能である。これにより、パッド４１は、２つのシャフト４３ａ，４３ｂを介して、側方固定板３５にスライド可能に支持されている。すなわち、パッド４１は、左支持部３０のパッド３１に対して遠近する方向に、側方固定板４５及びベース板１０に対して変位可能に設けられている。
【００５２】
シャフト４３ａ，４３ｂの端部には、それぞれ、ストッパ部材４７ａ，４７ｂが取り付けられている。ストッパ部材４７ａ，４７ｂは、例えば側方固定板４５の孔部４５ａの内径よりも径方向の寸法が大きいワッシャなどを有するねじである。ストッパ部材４７ａ，４７ｂは、シャフト４３ａ，４３ｂ及びパッド４１が側方固定板４５に対してスライド可能な範囲を規制する。本実施の形態では、例えば、パッド４１は、パッド面４１ａが上面視で電池パック８００が配置される位置の中央部（後述する電極７１が配置される位置）を越えて左支持部３０側に張り出すことがないように、ストッパ部材４７ａ，４７ｂにより規制されている。
【００５３】
ばね４４ａ，４４ｂは、コイルばねである。各ばね４４ａ，４４ｂは、シャフト４３ａ，４３ｂと略同軸に配置されている。ばね４４ａ，４４ｂは、シャフト４３ａ，４３ｂがばね４４ａ，４４ｂの内部を貫通するようにして配置されている。
【００５４】
ばね４４ａ，４４ｂは、パッド４１の右側面（パッド面４１ａとは反対側の面）と側方固定板４５の左側面との間で圧縮された状態で、配置されている。すなわち、パッド４１は、ばね４４ａ，４４ｂにより、側方固定板４５及びベース板１０に対して、左方向に、すなわち左支持部３０に向けて付勢されている。
【００５５】
なお、ばね４４ａ，４４ｂにより付勢された状態であっても、パッド４１は、ばね４４ａ，４４ｂを圧縮するようにしてシャフト４３ａ，４３ｂの軸方向に変位可能である。本実施の形態において、保持器具１が使用状態であるときのパッド４１に作用する２つのばね４４ａ，４４ｂの復元力は、パッド３１に作用するばね３４の復元力と比較してやや小さい。これにより、後述のように保持器具１に電池パック８００を保持させるときに、ユーザは、容易に、主にパッド４１を変位させて、電池パック８００を所定位置に配置することができる。
【００５６】
ばね４４ａ，４４ｂによる付勢力（復元力）は、例えば、電池パック８００が保持器具１にセットされているときに、電池パック８００がパッド４１とパッド３１との間で確実に保持されるように、設定されている。付勢力の設定は、例えば、ばね定数やばねの自然長などを調整することで行えばよい。
【００５７】
なお、側方固定板３５と側方固定板４５とは、同一の形状を有する、共通化された部材である。すなわち、側方固定板３５，４５のそれぞれに、ねじ穴３５ｂと２つの孔部４５ａとが設けられている。このように部品の共通化が図られることで、保持器具１の製造コストが低減されている。また、部品の種類が少なくなることにより、保持器具１は、容易に組立て可能である。
【００５８】
背部支持部５０は、パッド（背部支持部材の一例）５１と、２本のシャフト５３ａ，５３ｂと、２つのばね（弾性部材の一例）５４ａ，５４ｂと、２つの固定ねじ５７ａ，５７ｂとを有している。
【００５９】
パッド５１は、保持器具１の左右方向（図２においてＹ方向）が長手方向となるようにして、電池パック８００の背面８０５に対向するようにして配置されている。図２に示されるように、パッド５１の左右方向の略中央部には、他の部位よりも電池パック８００の背面８０５から離れる方向に一段低くくぼんだ凹部５１ｃが形成されている。
【００６０】
シャフト５３ａ，５３ｂは、共に、その軸方向が前後方向（図２においてＸ方向）に一致するように、背方固定板５２により支持されている。図３に示されるように、シャフト５３ａは、背方固定板５２の左側方に固定されている。シャフト５３ｂは、背方固定板５２の右側方に固定されている。シャフト５３ａ，５３ｂは、それぞれの一端部に、背方固定板５２を貫通するようにして固定ねじ５７ａ，５７ｂがねじ込まれることにより、背方固定板５２に固定されている。
【００６１】
ばね５４ａ，５４ｂは、コイルばねである。各ばね５４ａ，５４ｂは、シャフト５３ａ，５３ｂと略同軸に配置されている。ばね５４ａ，５４ｂは、シャフト５３ａ，５３ｂがばね５４ａ，５４ｂの内部を貫通するようにして配置されている。
【００６２】
図２に示されるように、パッド５１の左側部には、孔部５１ａが形成されている。また、パッド５１の右側部には、孔部５２ａが形成されている。パッド５１は、孔部５１ａにシャフト５３ａが差し込まれ、孔部５１ｂにシャフト５３ｂが差し込まれた状態で、シャフト５３ａ，５３ｂを介して、背方固定板５２に支持されている。
【００６３】
パッド５１は、シャフト５３ａ，５３ｂに対して、シャフト５３ａ，５３ｂの長手方向すなわち保持器具１の前後方向にスライド可能に支持されている。換言すると、パッド５１は、前方固定板２１に対して遠近する方向に、背方固定板５２に対して変位可能に設けられている。
【００６４】
なお、図４に示されるように、パッド５１は、シャフト５３ａ，５３ｂなどによっては規制されずに、前方（図４において左方向）へ可能である。しかしながら、保持器具１が組み立てられている状態では、パッド５１は、シャフト５３ａ，５３ｂがパッド５１から抜脱するより先に、パッド３１，４１や側方固定板３５，４５に当接するため、脱落することはない。このように、パッド５１の位置を規制するための部材を設ける必要がないように構成されているので、保持器具１の部品点数を少なくすることができ、製造コストを低くし、組み立てやすくすることができる。
【００６５】
パッド５１がシャフト５３ａ，５３ｂに保持されている状態で、ばね５４ａ，５４ｂは、パッド５１の背面（凹部５１ｃが設けられている面とは反対側の面）と背方固定板５２の前面との間で圧縮された状態となっている。すなわち、パッド５１は、ばね５４ａ，５４ｂにより、背方固定板５２及びベース板１０に対して、前方向に、すなわち固定支持部２０ａに向けて付勢されている。なお、ばね５４ａ，５４ｂにより付勢された状態であっても、パッド５１は、ばね５４ａ，５４ｂを圧縮するようにして、シャフト５３ａ，５３ｂの軸方向に変位可能である。ばね５４ａ，５４ｂによる付勢力（復元力）は、例えば、電池パック８００を保持器具１にセットされているときに、電池パック８００がパッド５１と前方固定板２１との間で確実に保持されるように、設定されている。付勢力の設定は、例えば、ばね定数やばねの自然長などを調整することで行えばよい。
【００６６】
底部支持部６０は、支持板（底部支持部材の一例）６１と、調節ねじ（調節部材の一例）６３と、ノブ６７とを有している。
【００６７】
図２に示されるように、支持板６１は、例えば円形板形状を有している。支持板６１は、上面が略水平になるように（図２におけるＸＹ平面に略平行になるように）配置されている。支持板６１は、上面が電池パック８００の底面８０６に面し、保持器具１にセットされる電池パック８００の底面８０６を支持する。
【００６８】
調節ねじ６３は、その軸方向が略垂直になる方向（図２におけるＺ方向）に配置されている。調節ねじ６３の上端は、支持板６１の中央部に結合されている。調節ねじ６３の胴部には、ベース板１０のねじ穴１５に設けられたねじとかみ合うねじが切られている。調節ねじ６３は、ねじ穴１５にねじ込まれており、これによりベース板１０に固定されている。換言すると、支持板６１は、調節ねじ６３を介して、ベース板１０に支持されている。
【００６９】
ノブ６７は、調節ねじ６３の下端部に取り付けられている。図６に示されるように、ノブ６７は、ベース板１０の底面から下方に突出している。ノブ６７の周囲には、ノブ３７と同様に、ローレット加工が施されている。これにより、ユーザが容易にノブ６７を摘み、回転操作を行うことができる。
【００７０】
ユーザは、ノブ６７を回転させる操作を行うことで、調節ねじ６３を回転させ、調節ねじ６３をベース板１０に対して昇降させることができる。換言すると、ユーザは、調節ねじ６３を回転させる操作を行うことで、支持板６１のベース板１０に対する昇降方向（図２におけるＺ方向）の位置を調節することができる。
【００７１】
ここで、本実施の形態において、前方固定板２１には、電極７１が配置されている。また、背部支持部５０のパッド５１には、電極７２が配置されている。電極７１，７２は、電池パック８００の端子８１０に接触し、電池パック８００についての試験を行うために設けられている。電極７１，７２は、外部の検査機器に接続されて利用されるが、配線の図示などは省略する。
【００７２】
図５に示されるように、電極７１は、前方固定板２１の左右方向略中央部に配置されている。図２に示されるように、前方固定板２１には、電極７１が取り付けられる貫通孔２１ａが設けられている。電極７１は、貫通孔２１ａに差し込まれるようにして配置され、ナットなどを用いて、前方固定板２１に固定されている。
【００７３】
図３に示されるように、電極７１は、端子８１０に接触する部分が前方固定板２１の背面（パッド５１に対向する面）に露出するように配置されている。電極７１は、電池パック８００の前面８０２側に設けられた端子８１０に接触することで、電池パック８００の試験を行うことを可能にする。
【００７４】
また、図３に示されるように、前方固定板２１の上面のうち、貫通孔２１ａの上方であって背面側の部分には、スリット２１ｂが形成されている。スリット２１ｂは、前方固定板２１の上面と背面とに開口するように形成されている。また、スリット２１ｂは、貫通孔２１ａにつながるように深く形成されている。これにより、ユーザは、保持器具１の上方から、スリット２１ｂを通して、電極７１の状態を目視により確認することができる。また、ユーザは、スリット２１ｂを通して、電極７１に触れる作業を行うこともできる。
【００７５】
図２に示されるように、電極７２は、パッド５１の略中央部に、ナットなどを用いて取り付けられている。図３に示されるように、電極７２は、電池パック８００の背面８０５に端子８１０が配置されている場合にその端子８１０に接触する部分が、パッド５１の前面（前方固定板２１に対向する面）に露出するように配置されている。電極７２は、パッド５１の中央部に設けられた凹部５１ｃに設けられている。
【００７６】
なお、本実施の形態において、図１に示されるように、前方固定板２１の下部には、２つのトンネル部２１ｃが設けられている。これにより、前方固定板２１の前面側と背面側との間で、トンネル部２１ｃを介して配線することができる。例えば保持器具１に保持させる電池パック８００に種々のセンサを設ける場合や、端子の位置が特殊である電池パック８００について試験などを行う場合などに、トンネル部２１ｃを通して配線することで、保持器具１をより便利に用いることができる。
【００７７】
電極７１，７２は、それぞれ電池パック８００の端子８１０などに接触する先端部分が、電極７１，７２のうち前方固定板２１やパッド５１に保持されている部分に対して、若干量変位可能に構成されている。すなわち、電極７１，７２の先端部分は、前方固定板２１やパッド５１の表面から突出していても、電池パック８００などにより付勢されると適度に変位するので、電極７１，７２が壊れることがない。また、電池パック８００の前面８０２や背面８０５に端子８１０が無い場合でも、保持器具１により電池パック８００を支障なく保持することができる。また、電池パック８００によって、端子８１０が前面８０２の表面からくぼんだ部分に配置されていても、電極７１，７２は、電池パック８００が保持器具１に保持された状態で、確実にその端子８１０に接触した状態が維持される。
【００７８】
電極７１と電極７２とは、互いに、保持器具１の前後方向の軸（図２におけるＸ方向の軸）に略同軸となるように配置されている。これにより、例えば乾電池のように、前面と背面とに端子８１０を有する電池パック８００について、保持器具１で保持した状態で、試験などを行うことができる。
【００７９】
［電池パック８００をセットした状態の保持器具１の説明］
【００８０】
図８は、電池パック８００がセットされている状態の保持器具１を示す斜視図である。図９は、電池パック８００がセットされている状態の保持器具１の平面図である。図１０は電池パック８００がセットされている状態の保持器具１の側面図である。
【００８１】
図８〜図１０を参照しながら、電池パック８００をセットした状態の保持器具１について次に説明する。
【００８２】
図８に示されるように、電池パック８００は、前方固定板２１と背部支持部５０のパッド５１との間に挟まれ、左支持部３０のパッド３１と右支持部４０のパッド４１との間に挟まれて、保持器具１に保持されている。また、電池パック８００は、支持板６１により支持されて、保持器具１に保持されている。パッド５１は前方固定板２１に向けて付勢されており、パッド４１はパッド３１に向けて付勢されている。また、パッド３１は、パッド４１に向けて付勢されている。このようにパッド３１，４１，５１がばね３４，４４ａ，４４ｂ，５４ａ，５４ｂにより付勢されていることにより、電池パック８００は、確実に、保持器具１に保持されたままの状態で維持される。
【００８３】
電池パック８００は、前面８０２が前方固定板２１に位置決めされ、左側面８０３が左支持部３０のパッド３１により位置決めされ、底面８０６が支持板６１により位置決めされた状態で、保持器具１に保持されている。このとき、電池パック８００は、前面８０２の端子８１０が、電極７１に接触するようにして位置決めされている。これにより、確実に電極７１が端子８１０に接触している状態が保たれる。また、電池パック８００を同一形状の他の電池パック８００と交換するときも、容易に、毎回、電池パック８００を同位置に保持させることができる。
【００８４】
保持器具１は、パッド３１の位置及び支持板６１の位置が容易に調整可能であるので、種々の外径寸法や端子位置を有する電池パック８００に対応可能である。
【００８５】
すなわち、パッド３１の位置は、電池パック８００の左側面８０３から端子８１０までの距離に応じて調節されればよい。例えば、図９に示すように、左側面８０３から端子８１０までの左右方向（図９において縦方向）の距離と、パッド面３１ａから電極７１までの左右方向（図９において縦方向）の距離（図において寸法ｙで示す。）とが略等しくなるように、パッド３１の位置が調節されればよい。
【００８６】
また、支持板６１の位置は、電池パック８００の底面８０６から端子８１０までの距離に応じて調節されればよい。例えば、図１０に示すように、底面８０６から端子８１０までの垂直方向（図１０において上下方向）の距離と、支持板６１の上面から電極７１までの垂直方向（図１０において上下方向）の距離（図において寸法ｚで示す。）とが略等しくなるように、支持板６１の位置が調節されればよい。
【００８７】
なお、パッド３１の位置や支持板６１の位置は、電池パック８００の厚み（両側面８０３，８０４間の距離）や電池パック８００の上下方向の寸法などに応じて変更されてもよい。例えば、第１の電池パック８００がセットされていたとき、第１の電池パック８００に代えて、厚みがそれよりも１０ミリ厚い第２の電池パック８００をセットするときには、両電池パック８００の厚みの差分の半分の寸法（すなわち、５ミリ）だけパッド３１の位置を調整することができる。これにより、容易に、第１の電池パック８００と中心位置をそろえて、第２の電池パック８００をセットすることができる。
【００８８】
このように、ユーザは、電池パック８００を、容易な作業で、保持器具１により保持させることができる。また、電池パック８００の試験を行うために端子８１０に接続することが必要な電極７１を、電池パック８００を保持器具１に保持させるのと同時に、端子８１０に接続することができる。このとき、電池パック８００を保持器具１に保持させたままにすることにより、確実に、電極７１を端子８１０に接触させたままで維持することができる。
【００８９】
各パッド３１，４１，５１は、電池パック８００が保持されている状態でも、それぞればね３４，４４ａ，４４ｂ，５４ａ，５４ｂを圧縮しながら所定の方向に変位可能である。そのため、例えば保持されている電池パック８００が変形（例えば、膨張など）しても、保持器具１は電池パック８００に大きなストレスを加えることなく、電池パック８００の変形を許容し、かつ、電池パック８００を保持し続けることができる。したがって、電池パック８００を安全に保持することができる。
【００９０】
本実施の形態において、第１の固定支持部２０ａと、第２の固定支持部２０ｂと、パッド３１，４１，５１と、支持板６１とは、樹脂製であって、絶縁性を有している。したがって、各部材の成型は容易に行うことができる。また、保持器具１により保持されている電池パック８００に異常が発生したとしても、保持器具１の外部の部材と電池パック８００との絶縁を保つことができ、安全な状態が保たれる。
【００９１】
図１１は、保持器具１のパッド３１，４１を示す正面図である。
【００９２】
本実施の形態において、パッド３１，４１のそれぞれの上部には、テーパ部３１ｚ，４１ｚが形成されていることにより、電池パック８００を保持器具１に保持させる作業を、より容易に行うことができる。すなわち、図１１に示されるように、保持器具１に電池パック８００が保持されていないとき、パッド４１がパッド３１に近接しており、テーパ部３１ｚとテーパ部４１ｚとが互いに向き合っている。この状態で、ユーザにより、電池パック８００の底部がテーパ部３１ｚ，４１ｚに押し当てられ、電池パック８００に下方向に力が加えられると、パッド３１とパッド４１との間隔を広げる方向に力が働く。これにより、パッド３１とパッド４１との間隔が広がり、電池パック８００を両パッド３１，４１間に配置することができる。パッド３１や４１を直接変位させる操作を行わなくても、容易にパッド３１，４１の間隔を変更し、電池パック８００をセットすることができる。
【００９３】
［保持トレイの説明］
【００９４】
本実施の形態において、保持器具１は、複数台が一緒にトレイ上に配置されて、電源素子保持トレイとして用いられる。これにより、複数台の保持器具１を用いて、一度に複数の電池パック８００の試験などを容易に行うことができる。
【００９５】
図１２は、本実施の形態に係る電源素子保持トレイの一例を示す斜視図である。
【００９６】
図１２に示されるように、電源素子保持トレイ（以下、保持トレイということがある。）５００は、トレイ本体５０１と、１０台の保持器具１とを有している。保持器具１は、トレイ本体５０１上の所定位置に位置決めされて配置されている。本実施の形態において、保持器具１は、トレイ本体５０１に着脱可能に配置されている。なお、保持トレイ５００に設置される保持器具１の数や位置は、これに限られるものではない。
【００９７】
図１３は、トレイ本体５０１の一例を示す平面図である。
【００９８】
図１３に示されるように、トレイ本体５０１は、孔部（被係合部の一例）５１０と、窓部５２０と、軽量化孔５２５，５２９と、コネクタ５５０などを有している。トレイ本体５０１は、例えば、アルミニウム板やステンレス板などを用いて形成されている。
【００９９】
図１３において、二点鎖線は、保持器具１が配置される位置を示す。孔部５１０、窓部５２０、軽量化孔５２５、及びコネクタ５５０は、保持トレイ５００に設けられるそれぞれの保持器具１に対応する位置に、合計１０組設けられる。これらの１０組うち８組は、トレイ本体５０１の手前側（図１３において下端側）に２段４列に略等間隔に配置され、その奥に、左右に分かれて、残りの２組が配置されている。
【０１００】
軽量化孔５２９は、保持器具１が配置されない部分に形成された穴部である。軽量化孔５２９が設けられていることにより、保持トレイ５００が軽量化されている。
【０１０１】
各組の孔部５１０、窓部５２０、軽量化孔５２５、及びコネクタ５５０は、例えば次のように配置されている。すなわち、孔部５１０は、保持器具１に設けられている４つの係合爪１１のそれぞれに対応するように４つが設けられている。各孔部５１０は、係合爪１１が貫入可能に形成されている。
【０１０２】
窓部５２０は、保持器具１の底面側から下方に突出するノブ６７に対応する位置に配置された穴部である。保持器具１がトレイ本体５０１上に配置された状態では、ノブ６７が窓部５２０からトレイ本体５０１の底面側に露出する。これにより、ユーザは、保持トレイ５００上に設置された各保持器具１のノブ６７を操作し、保持器具１をトレイ本体５０１から取り外すことなく、各支持板６１の位置を調節することができる。
【０１０３】
軽量化孔５２５は、トレイ本体５０１のうち保持器具１により覆われる位置に形成された穴部である。軽量化孔５２５が設けられていることにより、保持トレイ５００が軽量化されている。
【０１０４】
コネクタ５５０は、例えば各保持器具の左後方側に配置されている。コネクタ５５０には、各保持器具１の電極に接続される配線（図示せず）が接続される。各コネクタ５５０には、保持トレイ５００から外部に引き出されるケーブル（図示せず）が接続され、各コネクタ５５０を介する入出力がひとまとまりに束ねられている。これにより、保持トレイ５００の各コネクタ５５０と試験を行うための機器との接続を容易に行うことができる。なお、配線類の態様はこれに限られるものではない。また、コネクタ５５０がトレイ本体５０１に設けられていなくてもよい。
【０１０５】
保持器具１は、その４つの係合爪１１が、トレイ本体５０１の所定の箇所のそれぞれの孔部５１０に貫入するようにして、トレイ本体５０１上に配置される。すなわち、保持器具１は、係合爪１１が孔部５１０にはまり込む（係合の一態様）ことで、トレイ本体５０１上に位置決めされて、着脱可能に配置されている。この場合、コネクタ５５０に接続可能なコネクタを有する配線を各電極７１，７２に接続しておくことで、より容易に、トレイ本体５０１への保持器具１の取り付け、取りはずしを行うことができる。なお、保持器具１は、トレイ本体５０１に、例えば着脱用の金具を用いた機構など、上記とは異なる機構により取り付けられていてもよい。保持器具１は、例えば、所定の位置に貼り付けられた面ファスナなどにより、互いに位置決めされて取り付けられていてもよい。
【０１０６】
図１４は、各保持器具１に電池パック８００が保持されている状態の保持トレイ５００を示す斜視図である。
【０１０７】
図１４に示されるように、電池パック８００は、各保持器具１に配置することができる。各保持器具１の電極７１，７２とコネクタ５５０とが接続されることにより（図示せず）、一度に複数の電池パック８００について、容易に、試験などを行うことができる。
【０１０８】
各保持器具１について、パッド３１，４１，５１は、それぞれ独立して変位可能である。また、各保持器具１について、ノブ３７，６７の調整は独立して行うことができる。したがって、それぞれの保持器具１について、互いに異なる形状の電池パック８００を、確実に、かつ容易な作業で、保持させることができる。
【０１０９】
なお、保持トレイ５００の使用目的などによっては、複数の保持器具１間でそれぞれのパッド３１，４１，５１を互いに連動するように接続する部材を設けてもよい。また、複数の保持器具１間でそれぞれのシャフト３３や調節ねじ６３を互いに連動して回転させるような連動機構を設けてもよい。例えば一度に複数の同一形状の電池パック８００について試験などを行うような用途では、これらの部材や機構を設けることにより、より容易に試験などを行うことができる場合がある。
【０１１０】
［電源素子保持器具を利用した装置の説明］
【０１１１】
本実施の形態において、保持トレイ５００は、電源素子試験装置内に配置されて用いられる。ここで、電源素子試験装置は、例えば、所望の温度環境に調整可能な庫内に試験対象物を収容し、試験を行えるようにする、恒温器である。恒温器は、例えば、１つの保持トレイ５００又は複数の保持トレイ５００をその庫内に収容可能である。
【０１１２】
図１５は、本実施の形態に係る恒温器の一例を示す斜視図である。
【０１１３】
図１５に示されるように、恒温器（電源素子試験装置の一例）６００は、例えば扉６１０を開けて庫内部にアクセス可能に構成されている。恒温器６００は、温度調節装置６５０を有している。温度調節装置６５０は、恒温器６００の庫内の温度を、所定値に調節する。温度調節装置６５０は、恒温器６００の庫内の温度を、例えばセ氏数十度からセ氏マイナス数十度の範囲で調節することができる。温度調節装置６５０は、例えば事前に設定された温度プロファイルに応じて、恒温器６００の庫内の温度を変化させる。
【０１１４】
恒温器６００の庫内には、保持トレイ５００が配置されている。保持トレイ５００は、例えば、扉６１０が開けられている状態で、恒温器６００の庫内から略水平に引き出し可能である。これにより、保持トレイ５００上の保持器具１に電池パック８００をセットしたり取り除いたりする作業を容易に行うことができる。
【０１１５】
恒温器６００を用いて、その庫内の保持トレイ５００上の保持器具１に保持させた電池パックの試験を行うことができる。これにより、電池パック８００の周囲の温度を変化させながらの充放電試験などを、容易に、効率良く行うことができる。
【０１１６】
［電源素子保持器具１の変型例］
【０１１７】
保持器具１の左支持部３０のパッド３１や右支持部４０のパッド４１に代えて、それらとは異なる形状のものを取り付けてもよい。
【０１１８】
図１６は、本実施の形態の電源素子保持器具の一変型例について説明する図である。
【０１１９】
図１６は、本変型例に係る保持器具１の左支持部３０及び右支持部４０を前面側から見て示す図である。本変型例に係る保持器具１は、上記の保持器具１のパッド３１に代えて、パッド３１とは形状が異なるパッド１３１を有している。また、保持器具１は、パッド４１に代えて、パッド４１とは形状が異なるパッド１４１を有している。図１６において、左支持部３０のばね３４及び右支持部４０のばね４４ａ，４４ｂなどの図示は省略されている。
【０１２０】
図１６に示されるように、パッド１３１，１４１のそれぞれは、互いに略対称な形状のパッド面１３１ａ，１４１ｂを有している。パッド面１３１ａ，１４１ｂは、例えば半円柱面状（円弧面状）の形状を有している。また、パッド１３１，１４１のそれぞれは、それぞれのパッド面１３１ａ，１４１ｂの上部に、上端部に近づくに従ってパッド１３１，１４１間の間隔が広くなるように形成されたテーパ部１３１ｚ，１４１ｚを有している。
【０１２１】
本変型例では、両パッド１３１，１４１間に、パッド面１３１ａ，１４１ｂよりも曲率が大きい外形を有するような電池パック８９０などを保持することができる。電池パック８９０としては、例えば円筒形状の電池パック（図に２点鎖線で示す）や、乾電池などが挙げられる。このような形状のパッド１３１，１４１を採用することで、より多様な形状の電池パックを保持器具１で保持することができる。また、テーパ部１３１ｚ，１４１ｚが設けられていることにより、上述の実施の形態と同様に、容易にパッド１３１，１４１間の間隔を広げ、電池パック８９０などを保持させることができる。
【０１２２】
なお、パッド１３１，１４１とパッド３１，４１とは、互いに着脱交換できるように構成されていてもよい。また、パッド面３１ａ，４１ａ，１３１ａ，１４１ａなど、様々な形状のパッド面を、パッド３１，４１の本体に着脱可能にしてもよい。パッド３１とパッド４１とは、互いに異なる形状や寸法を有していてもよい。パッド３１，４１，１３１，１４１に、テーパ部３１ｚ，４１ｚ，１３１ｚ，１４１ｚが設けられていなくてもよい。
【０１２３】
［その他］
【０１２４】
保持器具の各部材の構成や形状は、適宜変更可能である。
【０１２５】
例えば、保持器具の固定部の構成は上記に限られるものではない。上記の実施の形態の保持器具において、側方固定板は、前方固定板とは独立してベース板上に固定されていてもよい。また、例えば、背方固定板と側方固定板とが互いに結合されていてもよい。前方固定板、側方固定板、及び背方固定板のうちいずれか２つ以上が、互いに一体に形成されていてもよい。また、これらがベース部材と一体に形成されていてもよい。すなわち、左支持部、右支持部、及び背部支持部のそれぞれのパッドは、一体に形成された固定部材により指示されていてもよい。
【０１２６】
左支持部のパッド及び右支持部のパッドのそれぞれの側方固定板に対する位置が調整可能に構成されていてもよい。また、これらの両パッドの位置のいずれも、調整不可能であってもよい。例えば、電池パックを両パッド間に配置したときに、ばねの付勢力の釣合いによって平面視で左右略中央部に電池パックが保持されるようにしてもよい。
【０１２７】
底部支持部は、設けられていなくてもよい。すなわち、電池パックは、ベース部材上に配置されることで、電池パックの底面が支持されるようにしてもよいし、電池パックの前面、背面、両側面に作用する摩擦力によって、上下方向に変位しないようにして保持されるようにしてもよい。
【０１２８】
保持器具は、試験や検査用途に限られず、電池パックの充電を行うために電池パックを固定する用途に用いられてもよい。
【０１２９】
保持器具は、二次電池に対応するものに限られない。保持器具は、例えば、一次電池や、電気二重層キャパシタ（コンデンサ）など、他の種類の電源素子を保持する用途に用いられるものであってもよい。
【０１３０】
保持器具は、上記のようにトレイ本体上に複数個を並べて使用されるものに限られない。１つの保持器具をそれ単独で用いることも可能である。保持器具は、恒温器の内部に設置されて用いられるものに限られない。保持器具は、作業台上などに据え置き可能な形状を有するベース部材を用いたものであってもよい。
【０１３１】
トレイ本体上には、同一種の保持器具だけでなく、互いに形状や大きさなどが異なる複数種類の保持器具をセットしてもよい。
【０１３２】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０１３３】
１  電源素子保持器具
１０  ベース板（ベース部材の一例）
１１  係合爪（係合部の一例）
２０  固定支持部
２０ａ  第１の固定支持部
２０ｂ  第２の固定支持部
２１  前方固定板（壁部の一例）
３１  パッド（側部支持部材の一例）
３４  ばね（弾性部材の一例）
３５，４５  側方固定板
４１  パッド（側部支持部材の一例）
４４ａ，４４ｂ  ばね（弾性部材の一例）
５１  パッド（背部支持部材の一例）
５２  背方固定板
５４ａ，５４ｂ  ばね（弾性部材の一例）
６１  支持板（底部支持部材の一例）
６３  調節ねじ（調節部材の一例）
７１，７２  電極
５００  電源素子保持トレイ
５０１  トレイ本体
５１０  孔部（被係合部の一例）
６００  恒温器（電源素子試験装置の一例）
６５０  温度調節装置
８００  電池パック（電源素子の一例）
８１０  端子
【図１】
2012252848.tif 000003
【図２】
2012252848.tif 000004
【図３】
2012252848.tif 000005
【図４】
2012252848.tif 000006
【図５】
2012252848.tif 000007
【図６】
2012252848.tif 000008
【図７】
2012252848.tif 000009
【図８】
2012252848.tif 000010
【図９】
2012252848.tif 000011
【図１０】
2012252848.tif 000012
【図１１】
2012252848.tif 000013
【図１２】
2012252848.tif 000014
【図１３】
2012252848.tif 000015
【図１４】
2012252848.tif 000016
【図１５】
2012252848.tif 000017
【図１６】
2012252848.tif 000018
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
表面と裏面とを有するベース板及びこのベース板の表面から起立していて前記電源素子の前面に対向する壁部を有する固定部と、
前記固定部にそれぞれ支持されており、前記電源素子の両側部にそれぞれ対向する２つの側部支持部材であって、少なくとも一方は、他方の側部支持部材に対して遠近する方向において、前記固定部に対して変位可能に設けられているものと、
前記固定部に支持され、前記電源素子の背部に対向する背部支持部材であって、前記壁部に対して遠近する方向において、前記固定部に対して変位可能に設けられているものとを備えた電源素子保持器具において、
上記に加え、前記ベース板の表面側において昇降自在に支持され、前記電源素子の底面を載置される支持板と、この支持板を昇降させる調節手段とをさらに備え、
前記調節手段は、前記ベース板の裏面に突出する操作ノブを含み、該ノブの操作によって前記支持板の高さ位置を調節可能であること特徴とする、電源素子保持器具。
【請求項２】
平らな支持面を有するトレイ本体と、このトレイ本体の上に位置決めされた電源素子保持器具とを備え、
前記電源素子保持器具は、
表面と裏面とを有するベース板及びこのベース板の表面から起立していて前記電源素子の前面に対向する壁部を有する固定部と、
前記固定部にそれぞれ支持されており、前記電源素子の両側部にそれぞれ対向する２つの側部支持部材であって、少なくとも一方は、他方の側部支持部材に対して遠近する方向において、前記固定部に対して変位可能に設けられているものと、
前記固定部に支持され、前記電源素子の背部に対向する背部支持部材であって、前記壁部に対して遠近する方向において、前記固定部に対して変位可能に設けられているものと、
前記ベース板の表面側において昇降自在に支持され、前記電源素子の底面を載置される支持板と、
この支持板を昇降させるため、前記ベース板の裏面に突出する操作ノブを含む調節手段とを備え、
前記トレイ本体は、
該トレイ本体上に位置決めされた前記電源素子保持器具を着脱自在に支持する係合手段と、
前記電源素子保持器具の位置に関連して形成された窓孔と、
前記トレイ上に固定された電気コネクタとを備え、
前記トレイ上に前記電源素子保持器具が載置されたとき、前記操作ノブが前記窓孔から該トレイ本体の底面側に露出し、
該ノブの操作によって前記支持板の高さ位置を調節可能となっている、電源素子保持トレイ。
【請求項３】
前記トレイ本体は、該トレイ本体上に複数の前記電源素子保持器具を着脱自在に支持していることを特徴とする、請求項２に記載の電源素子保持トレイ。
【手続補正３】
【補正対象書類名】明細書
【補正対象項目名】０００１
【補正方法】変更
【補正の内容】
【０００１】
この発明は、電源素子保持器具及び電源素子保持トレイに関し、特に、形状や端子の位置などが異なる様々な電源素子を保持可能な電源素子保持器具及び電源素子保持トレイに関する。
【手続補正４】
【補正対象書類名】明細書
【補正対象項目名】０００７
【補正方法】変更
【補正の内容】
【０００７】
この発明はそのような問題点を解決するためになされたものであり、電源素子の形状や端子の位置にかかわらず、容易に行える作業で電源素子を保持させることができる電源素子保持器具及び電源素子保持トレイを提供することを目的としている。
【手続補正５】
【補正対象書類名】明細書
【補正対象項目名】０００８
【補正方法】変更
【補正の内容】
【０００８】
上記目的を達成するためこの発明のある局面に従うと、電源素子保持器具は、表面と裏面とを有するベース板及びこのベース板の表面から起立していて電源素子の前面に対向する壁部を有する固定部と、固定部にそれぞれ支持されており、電源素子の両側部にそれぞれ対向する２つの側部支持部材であって、少なくとも一方は、他方の側部支持部材に対して遠近する方向において、固定部に対して変位可能に設けられているものと、固定部に支持され、電源素子の背部に対向する背部支持部材であって、壁部に対して遠近する方向において、固定部に対して変位可能に設けられているものとを備え、上記に加え、ベース板の表面側において昇降自在に支持され、電源素子の底面を載置される支持板と、この支持板を昇降させる調節手段とをさらに備え、調節手段は、ベース板の裏面に突出する操作ノブを含み、該ノブの操作によって支持板の高さ位置を調節可能である。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
この発明の他の局面に従うと、電源素子保持トレイは、平らな支持面を有するトレイ本体と、このトレイ本体の上に位置決めされた電源素子保持器具とを備え、電源素子保持器具は、表面と裏面とを有するベース板及びこのベース板の表面から起立していて電源素子の前面に対向する壁部を有する固定部と、固定部にそれぞれ支持されており、電源素子の両側部にそれぞれ対向する２つの側部支持部材であって、少なくとも一方は、他方の側部支持部材に対して遠近する方向において、固定部に対して変位可能に設けられているものと、固定部に支持され、電源素子の背部に対向する背部支持部材であって、壁部に対して遠近する方向において、固定部に対して変位可能に設けられているものと、ベース板の表面側において昇降自在に支持され、電源素子の底面を載置される支持板と、この支持板を昇降させるため、ベース板の裏面に突出する操作ノブを含む調節手段とを備え、トレイ本体は、該トレイ本体上に位置決めされた電源素子保持器具を着脱自在に支持する係合手段と、電源素子保持器具の位置に関連して形成された窓孔と、トレイ上に固定された電気コネクタとを備え、トレイ上に電源素子保持器具が載置されたとき、操作ノブが窓孔から該トレイ本体の底面側に露出し、該ノブの操作によって支持板の高さ位置を調節可能となっている。
【手続補正１４】
【補正対象書類名】明細書
【補正対象項目名】００１７
【補正方法】変更
【補正の内容】
【００１７】
好ましくはトレイ本体は、該トレイ本体上に複数の電源素子保持器具を着脱自在に支持している。
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
これらの発明に従うと、固定部の壁部と、固定部に対して変位可能な側部支持部材及び背部支持部材とで電源素子を保持することができる。したがって、電源素子の形状や端子の位置にかかわらず、容易に行える作業で電源素子を保持させることができる電源素子保持器具及び電源素子保持トレイを提供することができる。